(57)【要約】      （修正有）【課題】曝気効果を実現し、環境擁護とコンパクト化を実現するジェット噴流曝気装置を提供する。【解決手段】ジェット噴流爆気装置は、ポンプ６と、水供給管５と、空気供給接続管４と、水排出管１と、をこの順に備える。空気供給接続管の内部に曝気構造を取り付け、曝気構造はジェットエアリング３を有する。ジェットエアリングの外壁と、空気供給接続管の内壁との間に、水排出管１と直接または間接に連通する空気進入スペースが環状に設けられる。複数の配列貫通穴９が水排出管近傍のジェットエアリングの内壁の周りに均一に配置される。水がジェットエアリングを通過した後に、円形の水柱が配列貫通穴により歯車状の水柱に分割され、歯車状の水柱は歯と歯の間に真空負圧区域を形成して、空気供給接続管４から空気を大量に吸い込み、多くの気泡を形成する。【選択図】図１
0003195364.tif 000002
【実用新案登録請求の範囲】
【請求項１】
ポンプと、水供給管と、空気供給接続管と、水排出管と、をこの順に備えるジェット噴流曝気装置であって、
前記空気供給接続管の内部に曝気構造を取り付け、前記曝気構造はジェットエアリングを有し、前記ジェットエアリングの外壁と、前記空気供給接続管の内壁との間に、前記水排出管と直接または間接に連通する空気進入スペースが環状に設けられており、前記ジェットエアリングの前記水排出管近傍の内壁に複数の配列貫通孔が配置されており、前記配列貫通穴が前記ジェットエアリングの内壁の周りに均一に配置されていることを特徴とする、ジェット噴流曝気装置。
【請求項２】
前記ジェットエアリングの中間部に複数の中空状のフレームを均一に配置し、前記フレームの中空部が空気進入スペースに連通していて、前記フレームのそれぞれに嵌め歯を取付け、前記嵌め歯の両側に複数のフレーム貫通孔を均一に配置し、前記フレーム貫通穴と前記フレームの前記中空部とが互いに連通していることを特徴とする、請求項１記載のジェット噴流曝気装置。
【請求項３】
前記ジェットエアリングに設けられた前記配列貫通孔の一端が前記空気進入スペースを閉鎖しており、前記配列貫通孔のそれぞれには前記空気進入スペースに連通する空気排出孔が設けられていることを特徴とする、請求項１または２記載のジェット噴流曝気装置。
【請求項４】
前記嵌め歯が弧形状であり、前記嵌め歯の一端を他の嵌め歯に延伸して固定した後、嵌め歯モジュール素子を構成し、前記嵌め歯の接続箇所にテーパー状の突起部を設け、前記嵌め歯の下方に横断面がテーパー状の凹み溝を設けることを特徴とする、請求項３記載のジェット噴流曝気装置。
【請求項５】
前記ジェットエアリングの外面に一つまたはそれ以上の取付係合部が設けられていることを特徴とする、請求項３記載のジェット噴流曝気装置。
【請求項６】
前記水排出管の内径と、前記水供給管の内径との比率が１．１：１より大きいことを特徴とする、請求項３記載のジェット噴流曝気装置。
【考案の詳細な説明】
【技術分野】
【０００１】
本考案はジェット噴流曝気装置に関わる。
【背景技術】
【０００２】
水の溶存酸素量を増加させ、各層の水の対流レベルを向上すると共に、水質の均一化と水の活性化を実現するため、汚水処理工事、水産養殖産業、水利工事において水に酸素を送り込むことは欠かせない作業の一つである。
【考案の概要】
【考案が解決しようとする課題】
【０００３】
現在、曝気装置で幅広く使用されている方式はジェット噴流式、インペラー式、水車式と微多孔曝気式などがある。そのうち、インペラー式とジェット噴流式は水を噴射し、空気に接触及び混合させて曝気の目的を達成する。さらに、現在、水産用のジェット噴流曝気装置には一方向から空気を送り込む連結チューブ（ベンチュリ噴流装置）が使用され、エネルギーをたくさん消費するにもかかわらず水の流量が少ないという課題が残されている。一方、水車式曝気装置は浅い水層においてインペラーで水を掻くことによって、水面と空気との接触面積を増大させ、曝気効果を実現する。さらに、微多孔曝気式曝気装置はブロワーを用いて、空気を水の内部に送り込ませて酸素を溶解させる仕組みであり、効果は向上されるが水面下に長い酸素供給配管を敷かなければならない。曝気管から発生する気泡を垂直に水に送り込むときに受ける浮力は大きいため、酸素が水中において溶解する時間は短くなるほか、現在の微多孔曝気式曝気装置はすべて水タンクの底部に固定されていて、空気と水をより広い範囲に行き渡らせ、上層と下層の水を大きい範囲で混ぜ合わせることを実現することはできない。さらにエネルギーを多く消費されることから、低エネルギー消費、しかも曝気効果の優れた曝気装置が期待されている。
【課題を解決するための手段】
【０００４】
本考案の目的は、ジェット噴流曝気装置を提供することである。
【０００５】
本考案は、技術課題を解消する方策として、ポンプと、水供給管と、空気供給接続管と、水排出管と、をこの順に備えるジェット噴流曝気装置を提供する。空気供給接続管は多岐管であり、その内部に曝気構造が設けられており、曝気構造はジェットエアリングを有し、ジェットエアリングの外壁と空気供給接続管の内壁との間に、排出管と直接または間接に連通する空気進入スペースが環状に設けられており、ジェットエアリングの水排出管近傍の内壁に複数の配列貫通孔が設けられており、配列貫通穴がジェットエアリングの内壁に沿って、均一に配置されている。
【０００６】
前述技術のさらなる改善手段として、ジェットエアリングの中間部に複数の中空状のフレームを均一に配置し、フレームの中空部が空気進入スペースに連通していて、フレームのそれぞれに嵌め歯を取付け、嵌め歯の両側に複数のフレーム貫通孔を均一に配置し、フレーム貫通孔とフレームの中空部とが互いに連通してもよい。
【０００７】
前述技術のさらなる改善手段として、ジェットエアリングに設けられた配列貫通孔の一端が空気進入空間を閉鎖しており、配列貫通孔のそれぞれには空気進入空間に連通する空気排出孔が設けられていてもよい。
【０００８】
前述技術のさらなる改善手段として、嵌め歯が弧形状であり、嵌め歯の一端を他の嵌め歯に延伸して固定した後、嵌め歯モジュールを構成し、嵌め歯の接続箇所にテーパー状の突起部を設け、嵌め歯の下方に横断面がテーパー状の凹み溝を設けてもよい。
【０００９】
前述技術のさらなる改善手段として、ジェットエアリングの外面に一つまたはそれ以上の取付係合部を設けてもよい。
【００１０】
前述技術のさらなる改善手段として、水排出管の内径と水供給管の内径との比率が１．１：１より大きくしてもよい。
【００１１】
以下の段落において、図式と実施例と合わせて本考案をより詳しく説明する。
【考案の効果】
【００１２】
本考案は、ジェットエアリングに配列貫通孔を設けることによって、水がジェットエアリングを通過した後に円形の水柱が配列貫通孔によって歯車状の水柱に分割されて、歯車状を形成した水柱は歯と歯の間に配列された真空負圧区域を形成して、空気供給接続管から空気を大量に吸い込み、多くの気泡を形成して曝気効果を実現し、環境擁護とコンパクト化の特徴を実現すると共に、本考案を大流量の使用場面に適用すれば、より良い曝気効果が得られる。
【図面の簡単な説明】
【００１３】
【図１】本考案の構造を示す図である。
【図２】本考案において、曝気構造の取り付け位置の断面を示す図である。
【図３】本考案の稼働時における、配列孔から酸素を吸入する時の構造を示す図である。
【図４】本考案の稼働時における、フレーム貫通孔から酸素を吸入する時の構造を示す図である。
【図５】本発明のジェットエアリングの構造を示す図である。
【考案を実施するための形態】
【００１４】
以下、図式と実施例と合わせて、本考案の応用例を詳しく説明する。
【実施例１】
【００１５】
図１ないし５を参照する。本考案のジェット噴流曝気装置はポンプ６と、水供給管５と、空気供給接続管４と、水排出管１とをこの順に備える。空気供給接続管４は多岐管であり、空気供給接続管４の内部に曝気構造が設けられている。曝気構造はジェットエアリング３を有し、ジェットエアリング３の外壁と空気進入接続管の内壁との間に、水排出管１と直接または間接に連通する空気進入スペースが環状に設けられている。ジェットエアリング３の水排出管１近傍の内壁には複数の配列貫通孔９が配置されており、配列貫通孔９の横断面は例えば、円形、矩形、台形、楕円形、半円形或いはその他の形状に形成されても良い。配列貫通孔９はジェットエアリング３の内壁の円周方向に沿って、均一に配置されている。
【００１６】
ジェットエアリング３に配列貫通孔を設けることによって、水流がジェットエアリング３を通過した後、円形の水柱が配列貫通孔９によって、歯車状の水柱に分割され、歯車状の水柱が歯と歯の間に配列状の真空負圧区域を形成し、負圧の作用によって、空気供給接続管４から空気を大量に吸い込み、大きさが１〜５ミリメートルの気泡が多く形成される。これにより曝気効果が実現され、環境擁護とコンパクトの長所を有し、本考案を流量の大きい使用場面に適用すれば、より良い曝気効果が得られる。
【実施例２】
【００１７】
もう一つの好ましい実施例において、ジェットエアリング３の中間部に複数の中空状のフレーム２１を均一に配置し、フレーム２１の中空部８は空気進入スペースに連通していて、フレーム２１のそれぞれに嵌め歯２を取付け、嵌め歯２の両側に複数のフレーム貫通孔２０を均一に配置し、フレーム貫通孔２０とフレームの中空部８とが互いに連通している。水柱がフレーム２１を通過した後に分割され、分割された位置が真空負圧区域を形成し、空気供給接続管４から大量に吸入された空気が中空部８を介して、ジェットエアリング３の内部に進入し、大量の気泡を形成した後に、水柱が再び配列貫通孔９によって歯車状の水柱に分割され、歯車状の水柱の歯と歯の間に配置された真空負圧区域を形成し、さらに負圧作用によって、空気供給接続管４に吸入された空気が大量の気泡を形成する。このように、二度の負圧による酸素吸入によって、水における酸素の溶存性を有効に提供し曝気効果を増強することができる。本考案は他のポンプのように、酸素ポンプを新たに増設してエネルギーを消費することなく、水流だけで複数の負圧区域を配列して形成することができ、空気を大量に吸い込んで大量の気泡を形成して、環境擁護、コンパクト化の特徴を達成する。
【実施例３】
【００１８】
もう一つの好ましい実施例において、ジェットエアリング３に設けられた配列貫通孔９の一端が空気進入スペースを閉鎖しており、配列貫通孔９のそれぞれには空気進入スペースに連通する空気排出孔９０を設ける。このような構造によって、空気排出孔９０から排出された空気をちょうど対応の歯車状の水柱の隙間に入れ込むことができる。
【実施例４】
【００１９】
もう一つの好ましい実施例において、嵌め歯２が弧形状であり、嵌め歯２の一端を延伸して他の嵌め歯に固定した後、嵌め歯モジュールを構成する。嵌め歯２の接続箇所にテーパー状の突起部を設け、それぞれの嵌め歯２の下方に横断面がテーパー状の凹み溝２３を設け、フレーム貫通孔２０と凹み溝２３と連絡し、凹み溝２３が中空部８と連通し、空気が空気進入スペース、中空部８、凹み溝２３とフレーム貫通孔２０を経て気泡に形成される。
【実施例５】
【００２０】
もう一つの好ましい実施例において、ジェットエアリング３の外面に一つまたはそれ以上の取付係合部７を設ける。取付係合部７によって、ジェットエアリング３を空気供給接続管４に容易に取り付けられる。
【実施例６】
【００２１】
もう一つの好ましい実施例において、水排出管１の内径と水供給管５の内径との比率が１．１：１より大きく、水供給管５の長さは５０ミリメートル以下であり、水排出管１の内径は気泡が容易に形成されるように、水供給管５の内径より大きく設けられている。
以上は本考案の好ましい実施例を具体的に説明したが、本考案の構造は実施例に限られず、当業者であれば、本考案の精神に基づき、様々な変形例または置き換え例を思料されるが、なお本考案の請求範囲に含めるものとする。
【符号の説明】
【００２２】
１    水排出管
２    嵌め歯
３    ジェットエアリング
４    接続管
５    水供給管
６    ポンプ
７    取付係合部
８    中空室
９    配列貫通孔
２０  フレーム貫通孔
２１  フレーム
２３  凹み溝
９０  空気排出孔
【図１】
0003195364.tif 000003
【図２】
0003195364.tif 000004
【図３】
0003195364.tif 000005
【図４】
0003195364.tif 000006
【図５】
0003195364.tif 000007